(57)【特許請求の範囲】
【請求項１】
屋外に張出したベランダの一部を固定ベランダから分離して脱出用ベランダとし、当該脱出用ベランダにはラックとピニオンとの組合せにより構成された降下装置と、前記ピニオンを軸支したシャフトの回転数に連動して発生する制動力により降下速度が制御される降下速度調整機とを付設してなる緊急脱出用ベランダ装置。
【請求項２】
脱出用ベランダに位置固定装置と当該脱出用ベランダの降下衝撃を防止する衝撃防止ブレーキとを設けてなる請求項１記載の緊急脱出用ベランダ装置。
【発明の詳細な説明】
【０００１】
【発明の属する技術分野】
本発明は、階上の部屋にいる子供、老人、車椅子使用者等を緊急脱出時に屋外ベランダを利用して安全に階下に避難させるための緊急脱出用ベランダ装置に関する。
【０００２】
【従来の技術】
従来、階上の部屋にいる人々を緊急に階下に避難脱出させる手段としては、屋外ベランダ床面に緊急脱出口とこれに折り畳み梯子を設けたもの、或いは予め壁面に避難梯子を設置してこれらを利用して緊急脱出するのが一般的であった。
【０００３】
【発明が解決しようとする課題】
上記の従来装置を利用して階下に避難脱出する方法では、梯子を利用する為に子供、老人等は危険が伴った脱出となり、また車椅子使用者及び身体不自由者は実質的にこの脱出方法は利用出来ない等問題があった。
【０００４】
【課題を解決する手段】
本発明は、上記問題を解決した緊急脱出用ベランダ装置を提供しようとするものであり、その要旨は次の通りである。
（１）屋外に張出したベランダの一部を固定ベランダから分離して脱出用ベランダとし、当該脱出用ベランダにはラックとピニオンとの組合せにより構成された降下装置と、前記ピニオンを軸支したシャフトの回転数に連動して発生する制動力により降下速度が制御される降下速度調整機とを付設してなる緊急脱出用ベランダ装置である。
（２）脱出用ベランダに位置固定装置と当該脱出用ベランダの降下衝撃を防止する衝撃防止ブレーキとを設けてなる上記（１）の緊急脱出用ベランダ装置ある。
【０００５】
【発明の実施の形態】
以下、本発明を図面に基づき説明する。
図１は緊急脱出用ベランダ装置の斜視図、図２は緊急脱出用ベランダ装置の正面図、図３は緊急脱出用ベランダ装置の側面図、図４は緊急脱出用ベランダ装置の平面図、図５は降下速度調整機の平面図、図６は図５の左側面図、図７は位置固定装置の斜視図、図８は降下装置の他の実施例の要部斜視図、図９は図８の平面図、図１０は図８の正面図である。
【０００６】
図１において、１は脱出用ベランダであって、屋外に張出した固定ベランダ２から分離している。当該脱出用ベランダ１は下方に設けられた降下装置のラック３−１に案内されて降下自在に設置されている。
図２において、４は脱出用ベランダ１の位置固定装置であり、また６は衝撃防止ブレーキであってこれらの詳細についは後述する。
【０００７】
脱出用ベランダ１の降下手段を図３及び図４に基づいて説明する。
建物の外壁７に、Ｔ形鋼８を所定間隔で並列して垂直方向に二列取付け、次いで、当該Ｔ形鋼８の各々に別のＴ形鋼９を沿わせて両者を溶接等で固着する。
一方、外壁７と対面した脱出用ベランダ１の側面には、その側面上下左右の四カ所にリップ溝形鋼１０を各々取付ける。
上記のＴ形鋼９は、リップ溝形鋼１０内に位置しその垂直側面の一面が、前記リップ溝形鋼１０の内面に接触して回転自在に保持さたローラ１１の転がり摺動面を形成して脱出用ベランダ１をスムースに降下案内する働きをしている。
また、Ｔ形鋼９の当該垂直側面には、板バネ等で構成された衝撃防止ブレーキ６を上下方向に所定間隔で数カ所設けてある。
【０００８】
３は脱出用ベランダ１の降下装置であって、脱出用ベランダ１の側面に回転自在に支持されたピニオン３−２とＴ形鋼９の他側面に刻まれたラック３−１との組合せにより構成されている。
また、降下装置３は降下速度調整機５を具備しており、この降下速度調整機５の一実施例を図５及び６に基づいて説明する。
【０００９】
すなわち図５及び６に示す如く、脱出用ベランダ１の側面に支持されているシャフト３−３に固定されたピニオン３−２と、Ｔ形鋼９に刻まれたラック３−１との噛み合せ機構によって降下装置３を構成している。
また、シャフト３−３の端部には、降下速度調整機５を構成する４個のブレーキカム５−１を取付け、各ブレーキカム５−１に軸支されたアームを介してその先端に球体の錘り５−２が取り付けられている。
【００１０】
脱出用ベランダ１の降下によりピニオン３−２はラック３−１と噛み合ってシャフト３−３と共に回転し、このシャフト３−３に連結されたブレーキカム５−１も同時に回転を始める。
ブレーキカム５−１に軸支された錘り５−２も回転して遠心力を得て矢印の如く外方に移動する。
【００１１】
この錘り５−２の移動によってブレーキカム５−１自身は内方に移動して、上記シャフト３−３に嵌合され且つ軸方向に移動自在なブレーキパッド５−３の左側面を押圧し、当該ブレーキパッド５−３はシャフト３−３に嵌合された圧縮バネ５−４に抗して図示の矢印の如く右方向に移動する。
【００１２】
次いで右方向に移動したブレーキパッド５−３は、シャフト３−３に嵌合され且つ脱出用ベランダ１等に固定されている摩擦ディスク５−５の一面に接触して接触摩擦により制動力を発生させる。
この制動力によってシャフト３−３の回転が低下して脱出用ベランダ１の降下速度が遅くなり、また脱出用ベランダ１の降下速度が所定値以下になるとブレーキパット５−３は摩擦ディスク５−５から離れて降下速度が上昇し、これらを繰り返して降下速度をピニオンを軸支したシャフト３−３の回転数に連動して自動的に調整する。
なお、５−６はスプリングであって、脱出用ベランダ１の停止時に各錘り５−２を軸芯と並行に引き留めておくために設けたものである。
この様に降下速度調整機５は前記圧縮バネ５−４の反力と錘り５−２の遠心力によって発生する摩擦ディスク５−５への接触摩擦力との兼ね合いによって、脱出用ベランダ１の降下速度を調整するものである。
【００１３】
次ぎに、脱出用ベランダ１の位置固定装置４の一実施例を図７に基づいて説明する。
位置固定装置４は脱出用ベランダ１全体を建物の外壁７に固定するものであって、当該ベランダ１の下面に設けられる。
すなわち、脱出用ベランダ１の下面に位置する外壁７にストッパ４−１を二個固定し、脱出用ベランダ１の下面に取り付けられたシャフト４−２に爪車４−３を二個固定し、当該爪車４−３をストッパ４−１で支持する。
また同じく脱出用ベランダ１の下面に取り付けられたシャフト４−５に爪４−４を二個固定し、当該爪４−４を前記爪車４−３に噛み合わせる。
ワイヤ４−６の一端を爪４−４に接続し、他端をレバー４−７に取り付けると共に、爪４−４に規制バネ４−１１を取り付けてこれによって常時は爪４−４を爪車４−３に噛み合わせる働きをしている。
【００１４】
また、前記シャフト４−２の中間部にクランク円盤４−８を固定し、当該クランク円盤４−８にリンク４−９の一端を接続し、他端をハンドル４−１０に取り付ける。
【００１５】
本発明の緊急脱出用ベランダ装置の操作方法の手順につき説明する。
緊急脱出時に、部屋とベランダを仕切るドアを開放して例えば部屋から車椅子搭乗者と共に脱出者を脱出用ベランダ１の上面に誘導する。
【００１６】
次ぎに、位置固定装置４のレバー４−７を引くことにより、これに連結されているワイヤ４−６を介して爪４ー４が規制バネ４−１１に抗して回転して爪車４−３から解除する。
この状態でハンドル４−１０を引くことにより、この動きをリンク４−９を介してクランク円盤４−８に伝達し、当該クランク円盤４−８はシャフト４−２と共に回転する。
そして、シャフト４−２に固定されている爪車４−３も同時に回転し、当該爪車４−３はストッパ４−１から外れる。
このストッパ４−１と爪車４−３との連結が外れると、降下装置３のラック３−１に噛み合っているピニオン３−２を回転させながら脱出用ベランダ１は自重により徐々に降下を始める。
【００１７】
降下中の脱出用ベランダ１は、常に降下速度調整機５によって所定降下速度に制御されながら降下を継続する。
【００１８】
また、衝撃防止ブレーキ６をＴ形鋼９を垂直側面に設けているので、脱出用ベランダ１が降下して当該衝撃防止ブレーキ６の表面部分を通過する際に、ローラ１１が板バネより力を受けて脱出用ベランダ１の落下衝撃及び落下速度が緩和される。
【００１９】
降下装置の他の実施例につき、図８〜１０に基づいてその構造を説明する。
Ｈ形鋼２１の後面フランジを外壁７に沿わせて上下方向に一本取り付け、当該Ｈ形鋼２１のウェブの一側面に上下方向にラック２２−１をビス等で固定する。ラック２２１−１と、当該ラック２２−１に噛み合って回転しながら降下するピニオン２２−２とによって降下装置２２を構成している。
また、ピニオン２２−２には押さえ板２２−３を取り付けて、ピニオン２２−２及び押さえ板２２−３の両側面によって案内溝２２−４を形成し、この案内溝２２−４内にＨ形鋼２１の前面フランジの先端部が嵌り込まれている。
なお、ピニオン２２−２はその中心部に設けたシャフト２２−５により脱出用ベランダ１の側面に回転自在に取り付けられている。
【００２０】
脱出用ベランダ１の側面にはピニオン２２−２の外に３個のガイドローラ２３がシャフト２３−２によって回転自在取り付けられている。
当該ガイドローラ２３には案内溝２３−１が形成されており、この案内溝２３−１内にはＨ形鋼２１の前面フランジの先端部が嵌り込まれている。
【００２１】
次に、本装置の作動機構を説明する。
まず、図７における位置固定装置４のストッパ４−１から爪車４−３を外すと、脱出用ベランダ１に取り付けられている降下装置２２のピニオン２２−２がラック２２−１に噛み合って回転を始め、これに伴って脱出用ベランダ１はその自重によって徐々に降下を始める。
この時、脱出用ベランダ１に取り付けられている３個のガイドローラ２３も同時に回転を始める。
そして、案内溝２２−４及び２３−１内に嵌り込んでいるＨ形鋼２１の前面フランジの先端部に案内されながら本装置の全体が下方に順調に導かれるので、脱出用ベランダ１が妄りに前後・左右に揺れること無く安全に降下する。
【００２２】
なお、本装置においても降下速度調整機５及び衝撃防止ブレーキ６の機能を有する装置が付設されているので、脱出用ベランダ１の降下速度調整及び降下時の衝撃が緩和される。
【００２３】
【発明の効果】
本発明は、特に車椅子使用者等を屋外ベランダを利用して、簡便な操作で安全に階下に緊急に避難させることができる。
【００２４】
また、緊急脱出用ベランダ装置に降下速度調整機及び衝撃防止ブレーキを付設することにより、降下の際により安全に緊急脱出用ベランダ装置を降下させることが出来る。
【図面の簡単な説明】
【図１】緊急脱出用ベランダ装置の斜視図。
【図２】緊急脱出用ベランダ装置の正面図  。
【図３】緊急脱出用ベランダ装置の側面図。
【図４】緊急脱出用ベランダ装置の平面図。
【図５】降下速度調整機の平面図。
【図６】図５の左側面図。
【図７】位置固定装置の斜視図。
【図８】降下装置の他の実施例の要部斜視図。
【図９】図８の平面図。
【図１０】図８の正面図。
【符号の説明】
１          脱出用ベランダ
２          固定ベランダ
３          降下装置
３−１      ラック
３−２      ピニオン
４          位置固定装置
５          降下速度調整機
６          衝撃防止ブレーキ
２２        降下装置
２２−１    ラック
２２−２    ピニオン
２３        ガイドロ−ラ
【図１】
0003587145.tif 000002
【図２】
0003587145.tif 000003
【図３】
0003587145.tif 000004
【図４】
0003587145.tif 000005
【図５】
0003587145.tif 000006
【図６】
0003587145.tif 000007
【図７】
0003587145.tif 000008
【図８】
0003587145.tif 000009
【図９】
0003587145.tif 000010
【図１０】
0003587145.tif 000011